【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
光記録媒体からの戻り光としての信号光と、コヒーレント光としての参照光とを生成し、それらを重ね合わせて出射する光生成・出射部と、
上記光生成・出射部より出射された上記信号光と上記参照光の重ね合わせ光から、それぞれ位相差が０°、９０°、１８０°、２７０°となる信号光と参照光の組をそれぞれ生成する検波光学系と、
位相差が０°による上記信号光と参照光の組を第１受光素子により受光し、その受光光量に応じた信号を上記第１受光素子とＡＣ結合された第１Ｉ／Ｖ変換アンプにより増幅して第１受光信号を得る第１受光増幅部と、
位相差が１８０°による上記信号光と参照光の組を第２受光素子により受光し、その受光光量に応じた信号を上記第２受光素子とＡＣ結合された第２Ｉ／Ｖ変換アンプにより増幅して第２受光信号を得る第２受光増幅部と、
位相差が９０°による上記信号光と参照光の組を第３受光素子により受光し、その受光光量に応じた信号を上記第３受光素子とＡＣ結合された第３Ｉ／Ｖ変換アンプにより増幅して第３受光信号を得る第３受光増幅部と、
位相差が２７０°による上記信号光と参照光の組を第４受光素子により受光し、その受光光量に応じた信号を上記第４受光素子とＡＣ結合された第４Ｉ／Ｖ変換アンプにより増幅して第４受光信号を得る第４受光増幅部と、
上記第１受光信号と上記第２受光信号の差分を計算することで、
「ｆＲｃｏｓ（φ−θ）」
（但し、Ｒは上記光記録媒体の記録面に形成されるミラー面（ランド部分）の反射成分、ｆはピットの有／無に応じた変調成分、φは上記ピットの深さに相当する位相差、θは上記信号光と上記参照光の光路長差である）
により表される第１差分信号を生成する第１差分信号生成部と、
上記第３受光信号と上記第４受光信号の差分を計算することで、
「ｆＲｓｉｎ（φ−θ）」
により表される第２差分信号を生成する第２差分信号生成部と、
上記第１差分信号と上記第２差分信号とに基づき、ｓｉｎ（φ−θ）及びｃｏｓ（φ−θ）の値をそれぞれ算出するｓｉｎ・ｃｏｓ計算部と、
上記第１差分信号、上記第２差分信号、上記ｓｉｎ（φ−θ）、上記ｃｏｓ（φ−θ）の値を用いた演算により、再生信号を生成する再生信号生成部と
を備える再生装置。
【請求項２】
上記第１差分信号をａ、上記第２差分信号をｂとしたとき、
上記ｓｉｎ・ｃｏｓ計算部は、
「２ａｂ」及び「ａ2−ｂ2」を計算し、それらをローパスフィルタリングして得た信号に基づき上記ｓｉｎ（φ−θ）及び上記ｃｏｓ（φ−θ）の値をそれぞれ算出する
請求項１に記載の再生装置。
【請求項３】
上記「２ａｂ」及び上記「ａ2−ｂ2」について上記ローパスフィルタリングを行って得た信号をそれぞれｃ、ｄとしたとき、
上記ｓｉｎ・ｃｏｓ計算部は、
「ｔａｎ-1（ｃ，ｄ）／２」による計算を行うことで（φ−θ）を算出し、当該（φ−θ）の値を用いて上記ｓｉｎ（φ−θ）及び上記ｃｏｓ（φ−θ）の値をそれぞれ得る
請求項２に記載の再生装置。
【請求項４】
上記第１差分信号をａ、上記第２差分信号をｂとしたとき、
上記再生信号生成部は、
「ａ・ｃｏｓ（φ−θ）＋ｂ・ｓｉｎ（φ−θ）」
による演算を行って上記再生信号を生成する
請求項１〜請求項３の何れかに記載の再生装置。
【請求項５】
上記第１〜第４受光素子が同一基板上に形成されている請求項１〜請求項４の何れかに記載の再生装置。
【請求項６】
上記第１〜第４受光増幅部が同一ＩＣ（Integrated Circuit）に形成されている請求項１〜請求項５の何れかに記載の再生装置。
【請求項７】
光記録媒体からの戻り光としての信号光と、コヒーレント光としての参照光とを生成し、それらを重ね合わせて出射する光生成・出射手順と、
上記光生成・出射手順より出射した上記信号光と上記参照光の重ね合わせ光から、それぞれ位相差が０°、９０°、１８０°、２７０°となる信号光と参照光の組をそれぞれ生成する検波光生成手順と、
位相差が０°による上記信号光と参照光の組を第１受光素子により受光し、その受光光量に応じた信号を上記第１受光素子とＡＣ結合された第１Ｉ／Ｖ変換アンプにより増幅して第１受光信号を得る第１受光増幅手順と、
位相差が１８０°による上記信号光と参照光の組を第２受光素子により受光し、その受光光量に応じた信号を上記第２受光素子とＡＣ結合された第２Ｉ／Ｖ変換アンプにより増幅して第２受光信号を得る第２受光増幅手順と、
位相差が９０°による上記信号光と参照光の組を第３受光素子により受光し、その受光光量に応じた信号を上記第３受光素子とＡＣ結合された第３Ｉ／Ｖ変換アンプにより増幅して第３受光信号を得る第３受光増幅手順と、
位相差が２７０°による上記信号光と参照光の組を第４受光素子により受光し、その受光光量に応じた信号を上記第４受光素子とＡＣ結合された第４Ｉ／Ｖ変換アンプにより増幅して第４受光信号を得る第４受光増幅手順と、
上記第１受光信号と上記第２受光信号の差分を計算することで、
「ｆＲｃｏｓ（φ−θ）」
（但し、Ｒは上記光記録媒体の記録面に形成されるミラー面（ランド部分）の反射成分、ｆはピットの有／無に応じた変調成分、φは上記ピットの深さに相当する位相差、θは上記信号光と上記参照光の光路長差である）
により表される第１差分信号を生成する第１差分信号生成手順と、
上記第３受光信号と上記第４受光信号の差分を計算することで、
「ｆＲｓｉｎ（φ−θ）」
により表される第２差分信号を生成する第２差分信号生成手順と、
上記第１差分信号と上記第２差分信号とに基づき、ｓｉｎ（φ−θ）及びｃｏｓ（φ−θ）の値をそれぞれ算出するｓｉｎ・ｃｏｓ計算手順と、
上記第１差分信号、上記第２差分信号、上記ｓｉｎ（φ−θ）、上記ｃｏｓ（φ−θ）の値を用いた演算により、再生信号を生成する再生信号生成手順と
を有する再生方法。
【手続補正２】
【補正対象書類名】明細書
【補正対象項目名】００１９
【補正方法】変更
【補正の内容】
【００１９】
このため本技術では、再生装置として以下のように構成することとした。
すなわち、光記録媒体からの戻り光としての信号光と、コヒーレント光としての参照光とを生成し、それらを重ね合わせて出射する光生成・出射部を備える。
また、上記光生成・出射部より出射された上記信号光と上記参照光の重ね合わせ光から、それぞれ位相差が０°、９０°、１８０°、２７０°となる信号光と参照光の組をそれぞれ生成する検波光学系を備える。
また、位相差が０°による上記信号光と参照光の組を第１受光素子により受光し、その受光光量に応じた信号を上記第１受光素子とＡＣ結合された第１Ｉ／Ｖ変換アンプにより増幅して第１受光信号を得る第１受光増幅部を備える。
また、位相差が１８０°による上記信号光と参照光の組を第２受光素子により受光し、その受光光量に応じた信号を上記第２受光素子とＡＣ結合された第２Ｉ／Ｖ変換アンプにより増幅して第２受光信号を得る第２受光増幅部を備える。
また、位相差が９０°による上記信号光と参照光の組を第３受光素子により受光し、その受光光量に応じた信号を上記第３受光素子とＡＣ結合された第３Ｉ／Ｖ変換アンプにより増幅して第３受光信号を得る第３受光増幅部を備える。
また、位相差が２７０°による上記信号光と参照光の組を第４受光素子により受光し、その受光光量に応じた信号を上記第４受光素子とＡＣ結合された第４Ｉ／Ｖ変換アンプにより増幅して第４受光信号を得る第４受光増幅部を備える。
また、上記第１受光信号と上記第２受光信号の差分を計算することで、
「ｆＲｃｏｓ（φ−θ）」
（但し、Ｒは上記光記録媒体の記録面に形成されるミラー面（ランド部分）の反射成分、ｆはピットの有／無に応じた変調成分、φは上記ピットの深さに相当する位相差、θは上記信号光と上記参照光の光路長差である）
により表される第１差分信号を生成する第１差分信号生成部を備える。
また、上記第３受光信号と上記第４受光信号の差分を計算することで、
「ｆＲｓｉｎ（φ−θ）」
により表される第２差分信号を生成する第２差分信号生成部を備える。
また、上記第１差分信号と上記第２差分信号とに基づき、ｓｉｎ（φ−θ）及びｃｏｓ（φ−θ）の値をそれぞれ算出するｓｉｎ・ｃｏｓ計算部を備える。
さらに、上記第１差分信号、上記第２差分信号、上記ｓｉｎ（φ−θ）、上記ｃｏｓ（φ−θ）の値を用いた演算により、再生信号を生成する再生信号生成部を備えるようにした。
【手続補正３】
【補正対象書類名】明細書
【補正対象項目名】０１０５
【補正方法】変更
【補正の内容】
【０１０５】
また、本技術は、以下に示す構成とすることもできる。
（１）
光記録媒体からの戻り光としての信号光と、コヒーレント光としての参照光とを生成し、それらを重ね合わせて出射する光生成・出射部と、
上記光生成・出射部より出射された上記信号光と上記参照光の重ね合わせ光から、それぞれ位相差が０°、９０°、１８０°、２７０°となる信号光と参照光の組をそれぞれ生成する検波光学系と、
位相差が０°による上記信号光と参照光の組を第１受光素子により受光し、その受光光量に応じた信号を上記第１受光素子とＡＣ結合された第１Ｉ／Ｖ変換アンプにより増幅して第１受光信号を得る第１受光増幅部と、
位相差が１８０°による上記信号光と参照光の組を第２受光素子により受光し、その受光光量に応じた信号を上記第２受光素子とＡＣ結合された第２Ｉ／Ｖ変換アンプにより増幅して第２受光信号を得る第２受光増幅部と、
位相差が９０°による上記信号光と参照光の組を第３受光素子により受光し、その受光光量に応じた信号を上記第３受光素子とＡＣ結合された第３Ｉ／Ｖ変換アンプにより増幅して第３受光信号を得る第３受光増幅部と、
位相差が２７０°による上記信号光と参照光の組を第４受光素子により受光し、その受光光量に応じた信号を上記第４受光素子とＡＣ結合された第４Ｉ／Ｖ変換アンプにより増幅して第４受光信号を得る第４受光増幅部と、
上記第１受光信号と上記第２受光信号の差分を計算することで、
「ｆＲｃｏｓ（φ−θ）」
（但し、Ｒは上記光記録媒体の記録面に形成されるミラー面（ランド部分）の反射成分、ｆはピットの有／無に応じた変調成分、φは上記ピットの深さに相当する位相差、θは上記信号光と上記参照光の光路長差である）
により表される第１差分信号を生成する第１差分信号生成部と、
上記第３受光信号と上記第４受光信号の差分を計算することで、
「ｆＲｓｉｎ（φ−θ）」
により表される第２差分信号を生成する第２差分信号生成部と、
上記第１差分信号と上記第２差分信号とに基づき、ｓｉｎ（φ−θ）及びｃｏｓ（φ−θ）の値をそれぞれ算出するｓｉｎ・ｃｏｓ計算部と、
上記第１差分信号、上記第２差分信号、上記ｓｉｎ（φ−θ）、上記ｃｏｓ（φ−θ）の値を用いた演算により、再生信号を生成する再生信号生成部と
を備える再生装置。
（２）
上記第１差分信号をａ、上記第２差分信号をｂとしたとき、
上記ｓｉｎ・ｃｏｓ計算部は、
「２ａｂ」及び「ａ2−ｂ2」を計算し、それらをローパスフィルタリングして得た信号に基づき上記ｓｉｎ（φ−θ）及び上記ｃｏｓ（φ−θ）の値をそれぞれ算出する
上記（１）に記載の再生装置。
（３）
上記「２ａｂ」及び上記「ａ2−ｂ2」について上記ローパスフィルタリングを行って得た信号をそれぞれｃ、ｄとしたとき、
上記ｓｉｎ・ｃｏｓ計算部は、
「ｔａｎ-1（ｃ，ｄ）／２」による計算を行うことで（φ−θ）を算出し、当該（φ−θ）の値を用いて上記ｓｉｎ（φ−θ）及び上記ｃｏｓ（φ−θ）の値をそれぞれ得る
上記（２）に記載の再生装置。
（４）
上記第１差分信号をａ、上記第２差分信号をｂとしたとき、
上記再生信号生成部は、
「ａ・ｃｏｓ（φ−θ）＋ｂ・ｓｉｎ（φ−θ）」
による演算を行って上記再生信号を生成する
上記（１）〜（３）に記載の再生装置。
（５）
上記第１〜第４受光素子が同一基板上に形成されている上記（１）〜（４）に記載の再生装置。
（６）
上記第１〜第４受光増幅部が同一ＩＣ（Integrated Circuit）に形成されている上記（１）〜（５）に記載の再生装置。